【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
成長ポッドを動作させるためのシステムであって、
前記成長ポッドの軌道上を移動するカートであって、前記カートは、植物に成長するための種子を受容する、カートと、
前記成長ポッドに結合されるヒューマンマシンインターフェース（ＨＭＩ）と、
前記ＨＭＩに結合されるポッドコンピューティングデバイスであって、前記ポッドコンピューティングデバイスは、論理を記憶しており、前記論理は、前記ポッドコンピューティングデバイスによって実行されると、前記システムに、少なくとも、
前記カート内の前記種子に関する成長レシピを受信することであって、前記成長レシピは、少なくとも１つの環境アフェクタの作動を含む、ことと、
前記成長レシピの機能性を改変するユーザオプションを提供することと、
前記ユーザオプションのユーザ選択を受信することと、
前記ユーザ選択を受信することに応答して、前記成長レシピの機能性を改変することと
を実施させる、ポッドコンピューティングデバイスと
を備える、システム。
【請求項２】
遠隔コンピューティングデバイスをさらに備え、前記遠隔コンピューティングデバイスは、前記ＨＭＩを介して提供するための少なくとも１つのユーザインターフェースを記憶する、請求項１に記載のシステム。
【請求項３】
前記ユーザオプションは、ユーザが前記成長レシピのレシピプログラムを手動で改変するオプションを含む、請求項１に記載のシステム。
【請求項４】
前記論理はさらに、前記システムに、前記成長レシピの改変を決定させ、前記ＨＭＩを介して、前記改変および前記改変を許容するユーザオプションを提供させる、請求項１に記載のシステム。
【請求項５】
前記論理はさらに、前記システムに、少なくとも、
前記カートの動作非効率性を決定することと、
前記システムの動作効率性を改良するための前記成長レシピの動作改変を決定することと、
前記ＨＭＩを介して、前記システムの前記動作効率性を改良するための前記成長レシピの前記動作改変を提供することと、
前記ＨＭＩを介して、前記システムの前記動作効率性を改良するための前記成長レシピの前記動作改変を許容するユーザオプションを提供することと
を実施させ、
前記動作改変は、前記カートを除去すること、前記カートを修理すること、または前記カートの動作を改変することのうちの少なくとも１つを含む、請求項１に記載のシステム。
【請求項６】
前記カートが進行する前記軌道を含むアセンブリライン成長ポッドをさらに備える、請求項１に記載のシステム。
【請求項７】
前記論理はさらに、前記システムに、少なくとも、
前記成長ポッド上の前記植物の成長における改良を決定することと、
前記植物の成長をさらに改良するための前記成長レシピの成長改変を決定することと、
前記ＨＭＩを介して、ユーザに前記成長レシピの前記成長改変を許容するオプションを提供することと
を実施させる、請求項１に記載のシステム。
【請求項８】
成長ポッドであって、
植物を成長させるための複数の環境アフェクタを通過させる軌道と、
前記軌道上を移動するカートであって、前記カートは、前記植物を受容し、前記植物を前記複数の環境アフェクタの出力に暴露するために前記軌道を進行する、カートと、
前記成長ポッドに結合されるヒューマンマシンインターフェース（ＨＭＩ）と、
前記ＨＭＩに結合されるポッドコンピューティングデバイスであって、前記ポッドコンピューティングデバイスは、論理を記憶しており、前記論理は、前記ポッドコンピューティングデバイスによって実行されると、前記成長ポッドに、少なくとも、
前記カート内の前記植物に関する成長レシピを受信することであって、前記成長レシピは、前記複数の環境アフェクタの作動を含む、ことと、
前記成長レシピが前記成長ポッドのためにフォーマットされているかどうかを決定することと、
前記成長レシピが前記成長ポッドのためにフォーマットされていないという決定に応答して、前記成長レシピがフォーマットされている一般的成長ポッドおよび前記成長ポッドにおける差異を決定し、前記成長ポッド上で動作するための前記成長レシピの改変を作成することと、
前記ＨＭＩを介して、ユーザインターフェースに前記改変を許容するユーザオプションを提供することと、
前記ユーザインターフェースを介して、前記ユーザオプションのユーザ選択を受信することと、
前記ユーザ選択を受信することに応答して、前記成長レシピの機能性を改変することと
を実施させる、ポッドコンピューティングデバイスと
を備える、成長ポッド。
【請求項９】
前記論理はさらに、前記成長ポッドに、少なくとも、
前記成長ポッドの動作非効率性を決定することと、
前記成長ポッドの動作効率性を改良するための前記成長レシピの動作改変を決定することと、
前記ユーザインターフェースを介して、前記成長ポッドの前記動作効率性を改良するための前記成長レシピの前記動作改変を提供することと、
前記ユーザインターフェースを介して、前記成長ポッドの前記動作効率性を改良するための前記成長レシピの前記動作改変を許容するユーザオプションを提供することと
を実施させ、
前記動作改変は、前記カートを除去すること、前記カートを修理すること、前記カートの動作を改変すること、または前記複数の環境アフェクタのうちの少なくとも１つの動作を改変すること、のうちの少なくとも１つを含む、請求項８に記載の成長ポッド。
【請求項１０】
前記論理はさらに、前記成長ポッドに、少なくとも、
前記成長ポッド上の前記植物の成長における改良を決定することと、
前記植物の成長をさらに改良するための前記成長レシピの成長改変を決定することと、
前記ユーザインターフェースを介して、ユーザに前記成長レシピの前記成長改変を許容するオプションを提供することと
を実施させる、請求項８に記載の成長ポッド。
【請求項１１】
前記複数の環境アフェクタは、照明デバイス、冷却デバイス、加熱デバイス、空気流デバイス、給水デバイス、または栄養素デバイスのうちの少なくとも１つを含む、請求項８に記載の成長ポッド。
【請求項１２】
ポッドコンピューティングデバイスであって、
論理を記憶しているメモリコンポーネントであって、前記論理は、前記ポッドコンピューティングデバイスによって実行されると、前記ポッドコンピューティングデバイスに、少なくとも、
アセンブリライン成長ポッド内の植物に関する成長レシピを受信することであって、前記成長レシピは、環境アフェクタまたは複数の環境アフェクタの作動を含み、前記複数の環境アフェクタは、前記植物の産出を増進するために、前記アセンブリライン成長ポッドの環境を改変する、ことと、
前記植物の成長に関連するデータを受信することと、
前記植物の成長が前記植物の予測された成長を満たすかどうかを決定することと、
前記植物の前記成長が前記植物の前記予測された成長を満たしていないと決定することに応答して、前記植物の成長を改良するための前記成長レシピの成長改変を決定することと、
前記成長レシピに前記成長改変を実装するユーザオプションをユーザインターフェースに提供することと、
前記ユーザインターフェースを介して、前記ユーザオプションのユーザ選択を受信することと、
前記ユーザ選択を受信することに応答して、前記成長改変に従って前記成長レシピの機能性を改変することと
を実施させる、メモリコンポーネント
を備える、ポッドコンピューティングデバイス。
【請求項１３】
論理はさらに、前記ポッドコンピューティングデバイスに、前記成長レシピのレシピプログラムを手動で改変することをユーザに提供させる、請求項１２に記載のポッドコンピューティングデバイス。
【請求項１４】
前記論理はさらに、前記ポッドコンピューティングデバイスに、少なくとも、
前記アセンブリライン成長ポッド内のカートの動作非効率性を決定することと、
前記アセンブリライン成長ポッドの動作効率性を改良するための前記成長レシピの動作改変を決定することと、
前記アセンブリライン成長ポッドの前記動作効率性を改良するための前記成長レシピの前記動作改変を提供することと、
前記アセンブリライン成長ポッドの前記動作効率性を改良するための前記成長レシピの前記動作改変を許容するユーザオプションを提供することと
を実施させ、
前記動作改変は、前記カートを除去すること、前記カートを修理すること、前記カートの動作を改変すること、または前記複数の環境アフェクタのうちの少なくとも１つの動作を改変すること、のうちの少なくとも１つを含む、請求項１２に記載のポッドコンピューティングデバイス。
【請求項１５】
前記複数の環境アフェクタは、照明デバイス、冷却デバイス、加熱デバイス、空気流デバイス、給水デバイス、または栄養素デバイスのうちの少なくとも１つを含む、請求項１２に記載のポッドコンピューティングデバイス。
【手続補正２】
【補正対象書類名】明細書
【補正対象項目名】０００８
【補正方法】変更
【補正の内容】
【０００８】
本開示の実施形態によって提供されるこれらおよび付加的特徴は、図面と併せて以下の詳細な説明に照らしてより完全に理解されるであろう。
本願明細書は、例えば、以下の項目も提供する。
（項目１）
成長ポッドを動作させるためのシステムであって、
前記成長ポッドの軌道上を移動するカートであって、前記カートは、植物に成長するための種子を受容する、カートと、
前記成長ポッドに結合されるヒューマンマシンインターフェース（ＨＭＩ）と、
前記ＨＭＩに結合されるポッドコンピューティングデバイスであって、前記ポッドコンピューティングデバイスは、論理を記憶しており、前記論理は、前記ポッドコンピューティングデバイスによって実行されると、前記システムに、少なくとも、
前記カート内の前記種子に関する成長レシピを受信することであって、前記成長レシピは、少なくとも１つの環境アフェクタの作動を含む、ことと、
前記成長レシピの機能性を改変するユーザオプションを提供することと、
前記ユーザオプションのユーザ選択を受信することと、
前記ユーザ選択を受信することに応答して、前記成長レシピの機能性を改変することと
を実施させる、ポッドコンピューティングデバイスと
を備える、システム。
（項目２）
遠隔コンピューティングデバイスをさらに備え、前記遠隔コンピューティングデバイスは、前記ＨＭＩを介して提供するための少なくとも１つのユーザインターフェースを記憶する、項目１に記載のシステム。
（項目３）
前記ユーザオプションは、ユーザが前記成長レシピのレシピプログラムを手動で改変するオプションを含む、項目１に記載のシステム。
（項目４）
前記論理はさらに、前記システムに、前記成長レシピの改変を決定させ、前記ＨＭＩを介して、前記改変および前記改変を許容するユーザオプションを提供させる、項目１に記載のシステム。
（項目５）
前記論理はさらに、前記システムに、少なくとも、
前記カートの動作非効率性を決定することと、
前記システムの動作効率性を改良するための前記成長レシピの動作改変を決定することと、
前記ＨＭＩを介して、前記システムの前記動作効率性を改良するための前記成長レシピの前記動作改変を提供することと、
前記ＨＭＩを介して、前記システムの前記動作効率性を改良するための前記成長レシピの前記動作改変を許容するユーザオプションを提供することと
を実施させる、項目１に記載のシステム。
（項目６）
前記動作改変は、前記カートを除去すること、前記カートを修理すること、または前記カートの動作を改変することのうちの少なくとも１つを含む、項目５に記載のシステム。
（項目７）
前記カートが進行する前記軌道を含むアセンブリライン成長ポッドをさらに備える、項目１に記載のシステム。
（項目８）
前記論理はさらに、前記システムに、少なくとも、
前記成長ポッド上の前記植物の成長における改良を決定することと、
前記植物の成長をさらに改良するための前記成長レシピの成長改変を決定することと、
前記ＨＭＩを介して、ユーザに前記成長レシピの前記成長改変を許容するオプションを提供することと
を実施させる、項目１に記載のシステム。
（項目９）
成長ポッドであって、
植物を成長させるための複数の環境アフェクタを通過させる軌道と、
前記軌道上を移動するカートであって、前記カートは、前記植物を受容し、前記植物を前記複数の環境アフェクタの出力に暴露するために前記軌道を進行する、カートと、
前記成長ポッドに結合されるヒューマンマシンインターフェース（ＨＭＩ）と、
前記ＨＭＩに結合されるポッドコンピューティングデバイスであって、前記ポッドコンピューティングデバイスは、論理を記憶しており、前記論理は、前記ポッドコンピューティングデバイスによって実行されると、前記成長ポッドに、少なくとも、
前記カート内の前記植物に関する成長レシピを受信することであって、前記成長レシピは、前記複数の環境アフェクタの作動を含む、ことと、
前記成長レシピが前記成長ポッドのためにフォーマットされているかどうかを決定することと、
前記成長レシピが前記成長ポッドのためにフォーマットされていないという決定に応答して、前記成長レシピがフォーマットされている一般的成長ポッドおよび前記成長ポッドにおける差異を決定し、前記成長ポッド上で動作するための前記成長レシピの改変を作成することと、
前記ＨＭＩを介して、ユーザインターフェースに前記改変を許容するユーザオプションを提供することと、
前記ユーザインターフェースを介して、前記ユーザオプションのユーザ選択を受信することと、
前記ユーザ選択を受信することに応答して、前記成長レシピの機能性を改変することと
を実施させる、ポッドコンピューティングデバイスと
を備える、成長ポッド。
（項目１０）
前記ユーザオプションは、ユーザが前記成長レシピのレシピプログラムを手動で改変するオプションを含む、項目９に記載の成長ポッド。
（項目１１）
前記論理はさらに、前記成長ポッドに、前記ユーザインターフェースを介して、前記改変および前記改変を許容するユーザオプションを提供させる、項目９に記載の成長ポッド。
（項目１２）
前記論理はさらに、前記成長ポッドに、少なくとも、
前記成長ポッドの動作非効率性を決定することと、
前記成長ポッドの動作効率性を改良するための前記成長レシピの動作改変を決定することと、
前記ユーザインターフェースを介して、前記成長ポッドの前記動作効率性を改良するための前記成長レシピの前記動作改変を提供することと、
前記ユーザインターフェースを介して、前記成長ポッドの前記動作効率性を改良するための前記成長レシピの前記動作改変を許容するユーザオプションを提供することと
を実施させる、項目９に記載の成長ポッド。
（項目１３）
前記動作改変は、前記カートを除去すること、前記カートを修理すること、前記カートの動作を改変すること、または前記複数の環境アフェクタのうちの少なくとも１つの動作を改変すること、のうちの少なくとも１つを含む、項目１２に記載の成長ポッド。
（項目１４）
前記論理はさらに、前記成長ポッドに、少なくとも、
前記成長ポッド上の前記植物の成長における改良を決定することと、
前記植物の成長をさらに改良するための前記成長レシピの成長改変を決定することと、
前記ユーザインターフェースを介して、ユーザに前記成長レシピの前記成長改変を許容するオプションを提供することと
を実施させる、項目９に記載の成長ポッド。
（項目１５）
前記複数の環境アフェクタは、照明デバイス、冷却デバイス、加熱デバイス、空気流デバイス、給水デバイス、または栄養素デバイスのうちの少なくとも１つを含む、項目９に記載の成長ポッド。
（項目１６）
ポッドコンピューティングデバイスであって、
論理を記憶しているメモリコンポーネントであって、前記論理は、前記ポッドコンピューティングデバイスによって実行されると、前記ポッドコンピューティングデバイスに、少なくとも、
アセンブリライン成長ポッド内の植物に関する成長レシピを受信することであって、前記成長レシピは、環境アフェクタまたは複数の環境アフェクタの作動を含み、前記複数の環境アフェクタは、前記植物の産出を増進するために、前記アセンブリライン成長ポッドの環境を改変する、ことと、
前記植物の成長に関連するデータを受信することと、
前記植物の成長が前記植物の予測された成長を満たすかどうかを決定することと、
前記植物の前記成長が前記植物の前記予測された成長を満たしていないと決定することに応答して、前記植物の成長を改良するための前記成長レシピの成長改変を決定することと、
前記成長レシピに前記成長改変を実装するユーザオプションをユーザインターフェースに提供することと、
前記ユーザインターフェースを介して、前記ユーザオプションのユーザ選択を受信することと、
前記ユーザ選択を受信することに応答して、前記成長改変に従って前記成長レシピの機能性を改変することと
を実施させる、メモリコンポーネント
を備える、ポッドコンピューティングデバイス。
（項目１７）
論理はさらに、前記ポッドコンピューティングデバイスに、前記成長レシピのレシピプログラムを手動で改変することをユーザに提供させる、項目１６に記載のポッドコンピューティングデバイス。
（項目１８）
前記論理はさらに、前記ポッドコンピューティングデバイスに、少なくとも、
前記アセンブリライン成長ポッド内のカートの動作非効率性を決定することと、
前記アセンブリライン成長ポッドの動作効率性を改良するための前記成長レシピの動作改変を決定することと、
前記アセンブリライン成長ポッドの前記動作効率性を改良するための前記成長レシピの前記動作改変を提供することと、
前記アセンブリライン成長ポッドの前記動作効率性を改良するための前記成長レシピの前記動作改変を許容するユーザオプションを提供することと
を実施させる、項目１６に記載のポッドコンピューティングデバイス。
（項目１９）
前記動作改変は、前記カートを除去すること、前記カートを修理すること、前記カートの動作を改変すること、または前記複数の環境アフェクタのうちの少なくとも１つの動作を改変すること、のうちの少なくとも１つを含む、項目１８に記載のポッドコンピューティングデバイス。
（項目２０）
前記複数の環境アフェクタは、照明デバイス、冷却デバイス、加熱デバイス、空気流デバイス、給水デバイス、または栄養素デバイスのうちの少なくとも１つを含む、項目１６に記載のポッドコンピューティングデバイス。